(57)【要約】【課題】光ディスクの記録面に付着しているゴミや塵をより効果的に除去するエアーブロアー装置および該エアーブロアー装置を使用したディスククリーナー装置を提供する。【解決手段】エアーブロアー装置１を、エアーの吸い込み口２１と送風口２２を備えたブロアーモーター２と、前記ブロアーモーター２の送風口２２に連結されていて前記送風口２２から噴出すエアーを光ディスクに当てるエアー導入口３１および光ディスクに付着した塵や埃と共にエアーを排出するエアー排出口３２を備えたブロアーカバー３と、ブロアーモーター２から送り出されたエアーにイオンを付加して含ませてクリーニング対象物としての光ディスク等の記録媒体を除電するイオナイザー装置４と、で構成した。【選択図】  図２
2006155767.tif 000002
【特許請求の範囲】
【請求項１】
ディスク等の記録媒体に付着する塵や埃をエアーの風力によって除去するエアーブロアー装置であって、
エアーの吸い込み口と送風口を備えたブロアーモーターと、
前記ブロアーモーターの送風口に連結され前記ブロアーモーターから送り出したエアーを記録媒体に当てるエアー排出口と、前記記録媒体に当てられたエアーを前記記録媒体から除去された塵や埃と共に導入するエアー導入口を備えたブロアーカバーと、
前記ブロアーモーターから送り出したエアーにイオンを付加するイオナイザー装置と、を備えていることを特徴とするエアーブロアー装置。
【請求項２】
前記ブロアーモーターの送風口は、前記ブロアーカバーのエアー排出口の根元に連結されていることを特徴とする請求項１に記載のエアーブロアー装置。
【請求項３】
前記ブロアーモーターのエアーの吸い込み口は、前記ブロアーカバーのエアー導入口に連結されていることを特徴とする請求項１に記載のエアーブロアー装置。
【請求項４】
前記ブロアーカバーは、エアー排出口及び／又はエアー導入口にプラスチック繊維或いはガラス繊維で形成された防塵フィルターを備えていることを特徴とする請求項１に記載のエアーブロアー装置。
【請求項５】
イオナイザー装置は、イオンを発生する放電針を前記ブロアーモーターの送風口と前記ブロアーカバーのエアー排出口の間に備えていることを特徴とする請求項１に記載のエアーブロアー装置。
【請求項６】
請求項１に記載のエアーブロアー装置と、クリーニング対象物としてのディスクカートリッジを支持する位置決め支柱と、前記ディスクカートリッジのシャッターを開閉すシャッター開閉部材と、前記シャッター開閉部材により開放された前記光ディスクカートリッジの開口部からカートリッジ内に挿入されて該カートリッジ内に収納されている記録媒体を回転させるスピンドルモーターと、を備えていることを特徴とするディスククリーナー装置。
【請求項７】
ディスククカートリッジを挿入、排出可能な筐体と、該筐体に設けられていてディスククカートリッジ挿入時に該ディスククカートリッジのシャッターを開閉するシャッタ開閉部材と、前記ディスククカートリッジ内の光ディスク等の記録媒体を回転させるスピンドルモーターと、前記シャッタ開閉部材によりシャッターを開かれた前記ディスククカートリッジ内の記録媒体にエアーを吹きつける請求項１に記載のエアーブロアー装置と、を備えていることを特徴とするディスククリーナー装置。
【発明の詳細な説明】
【技術分野】
【０００１】
本発明は、光ディスク等の記録媒体の記録面に付着する塵や埃をエアーの風力によって除去するエアーブロアー装置および該エアーブロアー装置を使用したディスククリーナー装置に関する。
【背景技術】
【０００２】
近年、波長の短いレーザーが開発され、光ディスクの記録容量も飛躍的に増大している。特に、ブルーレーザーを使用したＢＲＤカートリッジ（ブルーレイディスクカートリッジ）は、高画質情報を記録する媒体として注目されている。これら高容量の記録媒体は、ディスク面へのゴミや粉塵の付着を嫌い、ディスクをプラスチックカートリッジで覆う設計がなされている。
【０００３】
しかしながら、ディスクドライブ装置での情報の読み書き時や、誤ってディスク面をオープンにしたまま放置されても正常に記録再生できるようなクリーニング装置を望む声が大きい。
【０００４】
従来の光ディスククリーニングは、主として記録再生装置内のレンズをクリーニングするもの（例えば特許文献１）或いは、光ディスクカートリッジと同サイズの集塵機能付きカートリッジでドライブ装置内をクリーニングするもの（例えば特許文献２）が知られている。さらに、ＣＤ（コンパクトディスク）やＤＶＤ（デジタルビデオディスク）などの記録面のクリーニングは、専用のプラスチック布シートを使って、直接ゴミや塵をふき取るタイプも見られる。
【特許文献１】特開平3−250476号公報
【特許文献２】特開平5−159550号公報
【発明の開示】
【発明が解決しようとする課題】
【０００５】
しかしながら、ＢＲＤのように記録波長が短いディスクは、記録面を保護する目的でプラスチックの外装筐体が防塵を行なっているが、取り扱いの中で付着してしまったゴミや塵のクリーニングは、筐体を開けてエアースプレーなどのエアーを記録面に噴射する方法しかなく、クリーニングに手間がかかることと、ゴミの再付着が考えられ有効なクリーニング効果が得られなかった。また、特開平7−334966号公報に見られるような密閉性の筐体内に光ディスクカートリッジを挿入し、空気導入口と空気吸引装置等によるエアーブローでクリーニングする方法も知られているが、空気を供給する装置が必要でクリーナー装置自体が大掛かりになってしまうという問題点があった。
【０００６】
本発明は、ＢＲＤカートリッジ内の光ディスクにエアーを吹き付けて前記光ディスクの記録面に付着しているゴミや塵を吹き飛ばして除去するエアーブロアー装置および該エアーブロアー装置を使用したディスククリーナー装置を提供することで上記の問題を解決しようとしたものである。
【課題を解決するための手段】
【０００７】
請求項１の発明は、エアーブロアー装置を、エアーの吸い込み口と送風口を備えたブロアーモーターと、前記ブロアーモーターの送風口に連結され前記ブロアーモーターから送り出したエアーを記録媒体に当てるエアー排出口および前記記録媒体に当てられたエアーを前記記録媒体から除去された塵や埃と共に導入するエアー導入口を備えたブロアーカバーと、前記ブロアーモーターから送り出したエアーにイオンを付加するイオナイザー装置と、で構成した。
【０００８】
請求項２の発明は、請求項１のエアーブロアー装置において、前記ブロアーモーターの送風口を、前記ブロアーカバーのエアー排出口の根元に連結し、ブロアーカバーの送風口よりエアーをクリーニング対象物としての光ディスク等の記録媒体に吹きかける構成にした。
【０００９】
請求項３の発明は、請求項１のエアーブロアー装置において、前記ブロアーモーターのエアーの吸い込み口を、前記ブロアーカバーのエアー排出口に連結した。
【００１０】
請求項４の発明は、請求項１のエアーブロアー装置において、エアー排出口及び／又はエアー導入口にプラスチック繊維或いはガラス繊維で形成された防塵フィルターを設けた。
【００１１】
請求項５の発明は、請求項１のエアーブロアー装置において、イオナイザー装置の放電針を、ブロアーモーターの送風口と前記ブロアーカバーのエアー排出口の間に取り付けた。
【００１２】
請求項６の発明は、請求項１に記載のエアーブロアー装置と、クリーニング対象物としてのディスクカートリッジを支持する位置決め支柱と、前記ディスクカートリッジのシャッターを開閉すシャッター開閉部材と、前記シャッター開閉部材により開放された前記ディスクカートリッジの開口部からカートリッジ内に挿入されて該カートリッジ内に収納されている記録媒体を回転させるスピンドルモーターと、でディスククリーナー装置を構成した。
【００１３】
請求項７の発明は、ディスククリーナー装置を、ディスククカートリッジを挿入排出可能な筐体と、該筐体に設けられていてディスククカートリッジ挿入時に該ディスククカートリッジのシャッターを開閉するシャッタ開閉部材と、前記ディスククカートリッジ内の光ディスク等の記録媒体を回転させるスピンドルモーターと、前記シャッタ開閉部材によりシャッターを開かれた前記ディスククカートリッジ内の記録媒体にエアーを吹きつける請求項１に記載のエアーブロアー装置と、で構成した。
【発明の効果】
【００１４】
請求項１のエアーブロアー装置は、前記ブロアーモーターから送り出されたエアーを光ディスク等の記録媒体の記録面に当てて、該記録面に付着しているゴミや塵を吹き飛ばして除去する。特に、前記ブロアーモーターから送り出すエアーにイオナイザー装置によってイオンを付加したので光ディスク等の記録媒体を除電（静電気を除去）して、前記エアーによるゴミや塵を吹き飛ばし効果を向上させることができる。
【００１５】
請求項２のエアーブロアー装置は、前記ブロアーモーターの送風口を、前記ブロアーカバーのエアー排出口の根元に連結したので、前記ブロアーモーターから送り出されたエアーは、漏れることなく前記ブロアーカバーのエアー排出口からカートリッジ内に導入される。
【００１６】
請求項３のエアーブロアー装置は、記録媒体に吹き付けられたエアーを前記ブロアーカバーのエアー導入口を介してブロアーモーターのエアーの吸い込み口から吸い込んでエアーを循環させることができる。
【００１７】
請求項４のエアーブロアー装置は、プラスチック繊維或いはガラス繊維で形成された防塵フィルターによりゴミや塵を除去してクリーンなエアーを記録媒体の記録面に吹きかけられる。
【００１８】
請求項５のエアーブロアー装置は、前記ブロアーモーターの送風口から送り出されたエアーには、前記イオナイザー装置の放電針によってイオンが付与されるので、光ディスク等の記録媒体を効果的に除電して、エアーによる塵や埃の吹き飛ばし効果が向上する。
【００１９】
請求項６の光ディスククリーナー装置は、クリーニング対象物としてのディスクカートリッジを位置決め支柱で支持し、前記ディスクカートリッジのシャッターをシャッター開閉部材で開放し、前記シャッター開閉部材により開放された前記光ディスクカートリッジの開口部からスピンドルモーターをカートリッジ内に挿入し、該スピンドルモーターで光ディスク等の記録媒体を回転させながら記録面にエアーを吹き付けて該記録面に付着しているゴミや塵を効果的に除去する。
【００２０】
請求項７の光ディスククリーナー装置は、ディスクドライブ装置でディスクカートリッジの記録再生を行うのと同じような使い勝手で記録媒体のクリーニングを行うことができる。
【発明を実施するための最良の形態】
【００２１】
図１はエアーブロアー装置１の斜視図、図２はエアーブロアー装置１をブロアーモーター２と、ブロアーカバー３と、イオナイザー装置４の各ユニット（ブロック）に分解した状態の斜視図、図３は各ユニットを更に分解した斜視図、図４はエアーブロアー装置１とディスククカートリッジ４の関係を示す斜視図、図５は図４のＡ−Ａ断面図である。
【００２２】
図２に示すように、前記ブロアーモーター２は、エアーの吸い込み口２１と、送風口２２と、前記エアーの吸い込み口２１に臨んで配置されたリング状の羽根２３と、を備えている。そして、前記羽根２３を回転させると前記エアーの吸い込み口２１からエアーを吸い込んで前記送風口２２からエアーを送り出すようになっている。
【００２３】
前記ブロアーカバー３は、前記ブロアーモーター２の送風口２２に連結されて前記ブロアーモーター２から送り出されたエアーを光ディスククカートリッジ４の光ディスク２０３に当てるエアー排出口３１と、該エアー排出口３１から排出されたエアーを光ディスク２０３から除去された塵や埃と共に前記ブロアーカバー３内に導入するエアー導入口３２を備えている。前記ブロアーカバー３の前記エアー排出口３１の根元部分には、接続部３３が設けられていて、該接続部３３にイオナイザー装置４の筒状の接続部４１を介して前記ブロアーモーター２の送風口２２が連結される。
【００２４】
図３に示すように、ブロアーカバー３は、左，右のハーフ３４ａ，３４ｂからなるカバー本体部３４と、カバー本体部３４の上端に取付けられた天面板３５と、集塵フィルター３６と、を備えている。
【００２５】
前記左，右のハーフ３４ａ，３４ｂは、各々の壁が互い違いに係合するような形状を成し、前後２箇所をビス３７で結合されて、前記カバー本体部３４が構成される。また、前記天面板３５は、前記カバー本体部３４に左右２箇所でビス３８で結合される。そして、前記天面板３５に、前記エアー排出口３１とエアー導入口３２が設けられている。前記集塵フィルター３６は、前記ブロアーモーター２の送風口２２に配置されている。前記集塵フィルター３６は、プラスチック繊維で構成される不織布か或いは、フィルターを通過する際に圧力損失の少ない低性能フィルターが望ましい。前記カバー本体部３４の下端には、ビス３９で前記ブロアーモーター２が取り付けられる。
【００２６】
前記イオナイザー装置４は、プラス/マイナスのイオンを発生させるものであり、コンデンサ４２と、制御回路４３と、放電針４４と、前記放電針４４を囲う略コ字状の帯電極４５と、を備えたイオン発生装置４６を、上、下ハーフ４７ａ，４７ｂから成る合成樹脂製のケース４７に収納することにより構成されている。
【００２７】
前記ケース４７すなわち上、下ハーフ４７ａ，４７ｂは、耐候性にすぐれたＰＯＭ（ポリアセタール樹脂）或いはＰＢＴ（ポリブチレンテレフタレート樹脂）等の合成樹脂で形成されている。
【００２８】
前記ケース４７は、略直方体形状に形成されていて、一側部に前記筒状の接続部４１が一体に形成されている。前記筒状の接続部４１は、前記下ハーフ４７ｂの側壁４７ｃに設けた開口部４７ｄを介して前記ケース４７内に連なっている。前記コンデンサ４２と制御回路４３は、前記ケース４７内に収納されている。また、前記放電針４４と帯電極４５は、前記開口部４７ｄを介して前記筒状の接続部４１内に配置されている。
【００２９】
前記放電針４４は、長さ１０ｍｍから２０ｍｍに形成されていて、キャップ４８により下ハーフ４７ｂに取り付けられる。前記放電針４４は、エアーのイオン化に安定性をもたせるために前記略コ字状の帯電極４５の互いに対向する一対の片４５ａ，４５ｂに対して等間隔をもって配置される。前記放電針４４は、前記コンデンサ４２の一方の電極４２ａに接続され、前記略コ字状の帯電極４５は、前記コンデンサ４２の他方の電極４２ｂに接続される。
【００３０】
前記イオナイザー装置４の性能は、１ｋｖに帯電させたワークに対して１０ｓで除電する能力を持つ。従って、クリーナーの動作時間は、イオナイザー効果の現れる１０ｓ以上としている。
【００３１】
実施の形態のエアーブロアー装置１は、上述のような構成であって、図４および図５に示すようにブロアーカバー３の天面板３５上に光ディスクカートリッジとしてのＢＲＤカートリッジ２０１を重ね合わせて、該ＢＲＤカートリッジ２０１のシャッターを開いて、前記ＢＲＤカートリッジ２０１の下面の記録再生およびスピンドルモーター挿入用の開口部を前記ブロアーカバー３の天面板３５に設けたエアー排出口３１およびエアー導入口３２に連通させた状態で使用される。
【００３２】
前記ブロアーモーター２を駆動すると羽根２３が回転して、図５に矢印で示すようにエアーが前記送風口２２から送り出される。一方、前記イオナイザー装置４に電圧を印加すると前記筒状の接続部４１内でイオンが発生する。前記筒状の接続部４１内で発生したイオンは、前記送風口２２から送り出されてきたエアーと共に前記ブロアーカバー３の天面板３５に設けたエアー排出口３１および前記ＢＲＤカートリッジ２０１の下面の開口部を通って前記ＢＲＤカートリッジ２０１内に導入されて光ディスク２０３に吹き付けられて、該光ディスク２０３の記録面に付着しているゴミや塵を吹き飛ばして除去する。前記光ディスク２０２に吹き付けられるエアーにはイオンが含まれているので前記光ディスク２０２およびこれに付着しているゴミや塵を除電（静電気を除去）するので、エアーの吹き付けによるゴミや塵の除去効果を向上させることができる。
【００３３】
前記ゴミや塵を含んだエアーは、前記天面板３５に設けたエアー導入口３２からブロアーカバー３内に導入され、前記ブロアーモーター２のエアーの吸い込み口２１に吸い込まれたのち、再び前記送風口２２から前記ブロアーカバー３のエアー排出口３１に向けて送り出される。このとき前記エアーに含まれるゴミや塵は、前記エアー導入口３２に設けた集塵フィルター３６によって除去される。
【００３４】
なお、ここで前記ＢＲＤカートリッジ２０１の一例を簡単に説明する。ＢＲＤカートリッジ２０１は、図６、７、８に示すように、上シェル２０２ａと下シェル２０２ｂの周壁を突合せることによって形成されるカートリッジ筐体２０２内に光ディスク２０３とインナーローター２０４とシャッター２０５ａ、２０５ｂとを収納することにより構成されている。そして、図９、１０に示すようにディスクドライブ装置のシャッター開閉部材３０１でインナーローター２０４を一方向に回転させると、シャッター２０５ａ、２０５ｂがカートリッジ筐体２０２に設けた開口部２０６を閉じる第１の位置（図９）に移動し、インナーローター２０４を他方向に回転させると、シャッター２０５ａ、２０５ｂがカートリッジ筐体２０２の下シェル２０２ｂに設けた開口部２０６を開放する第２の位置（図１０）に移動するようになっている。
【００３５】
図８に示すように、前記光ディスク２０３は、インナーローター２０４の上面側に配置され、前記シャッター２０５ａ、２０５ｂは、インナーローター２０４の下面側に配置されている。インナーローター２０４は、円板状の薄い板材からなる平面部２０４ａと、この平面部２０４ａの外周縁に連続して設けられたリング部２０４ｂとを有している。インナーローター２０４の平面部２０４ａには、開口部２０４ｃが形成されている。開口部２０４ｃは、下シェル２０２ｂの開口部２０６と形状及び大きさがほぼ等しく形成されている。また、図９に示すように、前記リング部２０４ｂの外周には、ディスクドライブ装置のシャッター開閉部材３０１の凸部３０１ａ又は後に説明する本発明のディスククリーナー装置１０１のシャッター開閉部材１０３の凸部１０３ａが係合する凹部２０４ｄと、ディスクドライブ装置のシャッター開閉部材３０１のラック部３０１ｂ又は後に説明する本発明のディスククリーナー装置１０１のシャッター開閉部材１０３のラック部１０３ｂが噛合するギヤ部２０４ｅが設けられている。
【００３６】
上シェル２０２ａの内面の略中央部には、図１３，１４に示すようにチャッキングプレート２０７がチャッキングプレート押え２０８により、回動自在に支持されている。チャッキングプレート２０７及びチャッキングプレート押え２０８は図１１、１２に拡大して示すような構成を有している。前記チャッキングプレート２０７は、マグネットによって吸着される磁性材料（例えば、ステンレス鋼ＳＵＳ４３０等）によって円盤状に形成されている。なお、図７に示すように、ＢＲＤカートリッジ２０１の底面には、複数の位置決め穴２１０が設けられている。
【００３７】
ディスクドライブ装置に前記ＢＲＤカートリッジ２０１を挿入すると、前記ディスクドライブ装置に設けたシャッター開閉部材３０１によって前記シャッター２０５ａ、２０５ｂが移動して開口部２０６が開放される。そして、図１５に示すように前記開口部２０６からスピンドルモーター（ターンテーブル）３０２が挿入され、該スピンドルモーター３０２に設けられているマグネットの磁力によって前記チャッキングプレート２０７が吸着され、このチャッキングプレート２０７とスピンドルモーター３０２とで光ディスク２０３が挟持されて回転方向に一体化されて所定速度で回転されるようになっている。
【００３８】
図１６は前記エアーブロアー装置１を使用したディスククリーナー装置１０１の分解斜視図、図１７はディスククリーナー装置１０１を組み立てた状態の斜視図、図１８はディスククリーナー装置１０１にＢＲＤカートリッジ２０１をセットした状態の斜視図、図１９はシャッター開放部材をスライドさせてＢＲＤカートリッジのシャッターを開いた状態の斜視図である。
【００３９】
ディスククリーナー装置１０１は、前記エアーブロアー装置１と、クリーニング対象物としてのＢＲＤカートリッジ２０１を支持する複数の位置決め支柱１０２と、前記ＢＲＤカートリッジ２０１のシャッターを開閉するシャッター開閉部材１０３と、前記シャッター開閉部材１０３により開放された前記ＢＲＤカートリッジ２０１の開口部２０６から該ＢＲＤカートリッジ２０１内に挿入されて光ディスク２０３を回転させるスピンドルモーター（ターンテーブル）１０４と、を備えたメカユニット１０５と、該メカユニット１０５を収容したケース１０６と、から成っている。
【００４０】
前記位置決め支柱１０２は、上端に前記ＢＲＤカートリッジ２０１の底面に設けた位置決め穴２１０（図７参照）に嵌合する位置決め穴嵌合部１０２ａを備えている。
【００４１】
前記シャッター開閉部材１０３は、前記ＢＲＤカートリッジ２０１のインナーローター２０４のリング部２０４ｂの外周に設けた凹部２０４ｄと係合する凸部１０３ａと、前記リング部２０４ｂの外周に設けたギヤ２０４ｅと噛合するラック部１０３ｂと、を備えている。
【００４２】
前記シャッター開閉部材１０３は、レール状のスライドガイド部材１１０に取り付けられていて、シャッター開閉部材駆動機構１１１によって前記スライドガイド部材１１０に沿ってスライドするようになっている。
【００４３】
前記エアーブロアー装置１と、前記スピンドルモーター１０４は、昇降台１１２に取り付けられている。前記昇降台１１２は、リフトレバー１１３を操作することによって前記位置決め支柱１０２等に沿って垂直に昇降する。
【００４４】
前記ケース１０６は、直方体形状に形成されていて、上面板１０６ａに前記位置決め支柱１０２の位置決め穴嵌合部１０２ａが臨む円形状の位置決め孔１２１と、前記シャッター開閉部材１０３が臨む長孔１２２と、前記スピンドルモーター１０４が臨む円形状の孔１２３と、前記エアーブロアー装置１のエアー排出口３１およびエアー導入口３２が臨む方形状の孔１２４と、前記リフトレバー１１３が臨む長孔１２５と、を備えている。
【００４５】
そして、前記ケース１０６に前記メカユニット１０５を収納すると、図１７に示すように、前記位置決め支柱１０２の上端の位置決め穴嵌合部１０２ａが前記円形状の位置決め孔１２１を介して前記ケース１０６の上面板１０６ａから突出する共に、前記シャッター開閉部材１０３が前記長孔１２２を介して前記ケース１０６の上面板１０６ａから突出する。また、前記リフトレバー１１３の上端部が前記長孔１２５を介して前記ケース１０６の上面板１０６ａから突出する。
【００４６】
図１７に示す前記リフトレバー１１３で前記昇降台１１２を下降させた状態においては、前記スピンドルモーター１０４は、前記ケース１０６の上面板１０６ａから突出しない位置に在ると共に、前記エアーブロアー装置１のエアー排出口３１およびエアー導入口３２は、前記方形状の孔１２４の下方に位置している。そして、前記リフトレバー１１３を矢印ａ方向に回動操作して前記昇降台１１２を上昇させると、前記スピンドルモーター１０４は、前記円形状の孔１２３を介して前記ケース１０６の上面板１０６ａから突出すると共に、前記ブロアーカバー３のカバー本体部３４の上面が前記ケース１０６の上面板１０６ａの下面に密に重なり合った状態になる。なお、集塵フィルター３６は、前記ブロアーカバー３のエアー導入口３２側に設けてもよい。
【００４７】
実施の形態のディスククリーナー装置１０１は、上述のような構成であって、図１８に示すように、前記ケース１０６の上面板１０６ａ上にＢＲＤカートリッジ２０１を載置し、該ＢＲＤカートリッジ２０１の底面に設けた位置決め孔２１０に前記位置決め支柱１０２の上端の位置決め穴嵌合部１０２ａを嵌合して前記ＢＲＤカートリッジ２０１を位置決め固定する。
【００４８】
次に、前記シャッター開閉部材１０３を前記ＢＲＤカートリッジ２０１側に向けて矢印ｂ方向にスライドさせると、図９に示すように、前記シャッター開閉部材１０３に設けた凸部１０３ａが前記ＢＲＤカートリッジ２０１のインナーローター２０４のリング部２０４ｂの外周に設けた凹部２０４ｄに係合して、前記インナーローター２０４を回転させる。前記インナーローター２０４が回転すると、今度は前記ラック部１０３ｂがギヤ部２０４ｅに噛合して、前記インナーローター２０６を更に回転させてシャッターを開いて前記開口部２０６を開放する。
【００４９】
前記開口部２０６を開放したら、今度は前記リフトレバー１１３を矢印ａ方向にスライド操作して前記昇降台１１２を上昇させると、前記スピンドルモーター１０４が上昇して、前記ＢＲＤカートリッジ２０１の光ディスク２０３を前記スピンドルモーター１０４上に載置し、前記チャッキングプレート２０７を磁気吸引して、前記光ディスク２０３を前記スピンドルモーター１０４上にチャッキングすると共に、前記ブロアーカバー３のカバー本体部３４の上面を前記ケース１０６の上面板１０６ａの下面に重合させる。そして、前記光ディスク２０３の開口部２０６と、前記エアーブロアー装置１のエアー排出口３１およびエアー導入口３２と、が前記ケース１０６の上面板１０６ａに設けた方形状の孔１２４を介して連通する。
【００５０】
そして、前記スピンドルモーター１０４で光ディスク２０３を回転させながら前記エアーブロアー装置１によってイオンを付与したエアーを光ディスク２０３に吹き付けて該光ディスク２０３に付着しているゴミや塵を吹き飛ばすと共に、吹き飛ばしたゴミや塵を集塵フィルター３６で除去した後に、前記エアーを前記エアー導入口３２を介して前記ブロアーモーター２のエアーの吸い込み口２１から吸い込んで循環させて光ディスク２０３のクリーニングを行う。一定時間クリーニングしたのち、前記リフトレバー１１３を元の位置に戻し、前記昇降台１１２を下降させて、光ディスク２０３のチャッキングを解除する。その後、前記シャッター開閉部材１０３を初期の位置に戻し、シャッターを閉じてクリーニングは終了となる。なお、ディスククリーナー装置１０１は、これまで説明したような形態のほか、特に図示しないが記録再生装置の記録再生ヘッド部を取り除いた部分にエアーブロー装置を取り付けるような形態、即ちディスククカートリッジを挿入、排出可能な筐体内に、該筐体に設けられていてディスククカートリッジ挿入時に該ディスククカートリッジのシャッターを開閉するシャッタ開閉部材と、前記ディスククカートリッジ内の光ディスク等の記録媒体を回転させるスピンドルモーターと、前記シャッタ開閉部材によりシャッターを開かれた前記ディスククカートリッジ内の記録媒体にエアーを吹きつける請求項１に記載のエアーブロアー装置と、を設けることにより構成することができる。
【図面の簡単な説明】
【００５１】
【図１】エアーブロアー装置の斜視図。
【図２】エアーブロアー装置１をブロアーモーター、ブロアーカバー、イオナイザー装置の各ユニットに分解した斜視図。
【図３】各ユニットを更に分解した斜視図。
【図４】エアーブロアー装置と光ディスククカートリッジの関係を示す斜視図。
【図５】図４のＡ−Ａ断面図。
【図６】ディスクカートリッジの上面斜視図。
【図７】ディスクカートリッジの底面斜視図。
【図８】ディスクカートリッジの部品構成斜視図。
【図９】シャッター開閉部材によりシャッターが閉じられた状態の説明図。
【図１０】シャッター開閉部材によりシャッターが開かれた状態の説明図。
【図１１】チャッキングプレートを示す斜視図。
【図１２】チャッキングプレート押えを示す斜視図。
【図１３】チャッキングプレート押えが取付けられている上シェルの内面側を示す斜視図。
【図１４】チャッキングプレート押えが取付けられている状態の断面図。
【図１５】ディスクがチャッキングされている状態の断面図。
【図１６】ディスククリーナー装置の分解斜視図
【図１７】ディスククリーナー装置を組み立てた状態の斜視図。
【図１８】ディスククリーナー装置にディスクカートリッジをセットした状態の斜視図。
【図１９】シャッター開閉部材およびリフトレバーを操作した状態の斜視図。
【符号の説明】
【００５２】
１…エアーブロアー装置、２…ブロアーモーター、３…ブロアーカバー、４…イオナイザー装置、２１…エアーの吸い込み口、２２…送風口、３１…エアー排出口、３２…エアー導入口、３３…接続部、３６…集塵フィルター、４４…放電針、１０１…ディスククリーナー装置、１０２…位置決め支柱、１０３…シャッター開閉部材、１０４…スピンドルモーター、２０１…光ディスクカートリッジ（ＢＲＤカートリッジ）、２０３…光ディスク、２１０…位置決め穴。
【図１】
2006155767.tif 000003
【図２】
2006155767.tif 000004
【図３】
2006155767.tif 000005
【図４】
2006155767.tif 000006
【図５】
2006155767.tif 000007
【図６】
2006155767.tif 000008
【図７】
2006155767.tif 000009
【図８】
2006155767.tif 000010
【図９】
2006155767.tif 000011
【図１０】
2006155767.tif 000012
【図１１】
2006155767.tif 000013
【図１２】
2006155767.tif 000014
【図１３】
2006155767.tif 000015
【図１４】
2006155767.tif 000016
【図１５】
2006155767.tif 000017
【図１６】
2006155767.tif 000018
【図１７】
2006155767.tif 000019
【図１８】
2006155767.tif 000020
【図１９】
2006155767.tif 000021